(57)【特許請求の範囲】
【請求項１】
衛生用紙を収納するとともに、当該衛生用紙の取出口を備える箱本体と、前記箱本体の取出口を覆い且つ前記衛生用紙の使用開始時に前記箱本体から切り離される取出口被覆部とを有する衛生用紙収納用カートンであって、
前記取出口被覆部は、前記箱本体を成す板紙よりも圧縮されており、前記取出口被覆部の少なくとも一面には紙クリップの輪郭が表示されている
ことを特徴とする衛生用紙収納用カートン。
【請求項２】
前記紙クリップの輪郭に沿って、ミシン目又はハーフカット用の切れ目が施されている
ことを特徴とする請求項１に記載の衛生用紙収納用カートン。
【請求項３】
前記取出口被覆部の外周縁に、ミシン目又はハーフカット用の切れ目が施されている
ことを特徴とする請求項１又は２に記載の衛生用紙収納用カートン。
【発明の詳細な説明】
【技術分野】
【０００１】
本発明は、衛生用紙を収納する衛生用紙収納用カートンに関する。
【背景技術】
【０００２】
衛生用紙収納用カートンとしてのティシュカートン（単に、カートンともいう）は、複数枚のティシュペーパー（衛生用紙）を収納するものであり、内部のティシュペーパーを使い終わるとゴミとして廃棄される。そこで、カートンを有効利用する技術として、例えば特許文献１に記載のものがある。
特許文献１の技術は、カートンの外面にペーパークラフトのピースを印刷し、ティシュペーパーの使用後にピースを切り取ってペーパークラフトを組み立てるものである。この技術では、複数個のカートンの内の少なくとも２個以上に分けて、単一のペーパークラフトを構成するピースを配置している。
この構成では、ピースが複数個のカートンに分けて配置されているため、各ピースの大きさ及びピース数を充実させることができ、また、複雑な形状や、迫力のある大きさのペーパークラフトを制作することができる。
【先行技術文献】
【特許文献】
【０００３】
【特許文献１】特開２００８−３０７６７号公報
【発明の概要】
【発明が解決しようとする課題】
【０００４】
ところで、特許文献１のカートンを含む従来のカートンでは、上面にティシュペーパーの取出口を被覆する取出口被覆部が形成されている。取出口被覆部は、ティシュペーパーを取り出し可能状態とするために切り離されるが、切り離した後は廃棄されていた。このため、取出口被覆部が有効利用されていないという問題があった。
【０００５】
このような観点から、本発明は、衛生用紙の使用開始時に箱本体から切り離される取出口被覆部を有効利用することができる衛生用紙収納用カートンを提供することを課題とする。
【課題を解決するための手段】
【０００６】
上記課題を解決する本発明は、衛生用紙を収納するとともに、当該衛生用紙の取出口を備える箱本体と、前記取出口を覆い且つ前記衛生用紙の使用開始時に前記箱本体から切り離される取出口被覆部とを有する衛生用紙収納用カートンであって、前記取出口被覆部は、前記箱本体を成す板紙よりも圧縮されており、前記取出口被覆部の少なくとも一面には紙クリップの輪郭が表示されていることを特徴とする。
【０００７】
本発明によれば、箱本体から取出口被覆部を切り離した後、取出口被覆部の一面に表示された紙クリップの輪郭に沿って取出口被覆部を切断するだけで、紙クリップを得ることができる。取出口被覆部は、箱本体の板紙よりも密度が高く、高剛性となっているので、得られた紙クリップは強い復元力を有し、複数枚の紙を挟むクリップとして十分に機能する。このように、本発明によれば従来は廃棄されていた取出口被覆部を有効利用することができる。
【０００８】
前記紙クリップの輪郭に沿って、ミシン目又はハーフカット用の切れ目が施されていることを特徴とする。これによって、ハサミやカッターを用いなくても、紙クリップを分離することができる。
【０００９】
前記取出口被覆部の外周縁に、ミシン目又はハーフカット用の切れ目が施されていることを特徴とする。取出口被覆部は、箱本体よりも高剛性となって、ミシン目又はハーフカット用の切れ目が形成されているので、箱本体から容易に分離することができる。
【発明の効果】
【００１０】
本発明によれば、衛生用紙の使用開始時に箱本体から切り離される取出口被覆部を有効利用することが可能になる。
【図面の簡単な説明】
【００１１】
【図１】本発明の実施形態に係る衛生用紙収納用カートンの構成を示し、（ａ）は衛生用紙収納用カートンの斜視図、（ｂ）は（ａ）に示す衛生用紙収納用カートンの上面部のＡ１−Ａ１断面図、（ｃ）は衛生用紙収納用カートンの取出口被覆部に表示された紙クリップを示す平面図、（ｄ）はＥ字型の紙クリップを示す図である。
【図２】衛生用紙収納用カートン製造工程の概略図である。
【図３】取出口被覆部に表示された他例の紙クリップを示し、（ａ）は紙クリップの輪郭をミシン目で表示した場合を示す図、（ｂ）は複数の紙クリップを互い違いに組合せた場合を示す図、（ｃ）は複数の紙クリップの他の組合せを示す図、（ｄ）は刳り抜き型の紙クリップを取出口被覆部に表示した状態を示す図、（ｅ）は刳り抜き型の紙クリップの形状、（ｆ）は複数の刳り抜き型の紙クリップの配置例を示す図である。
【図４】本実施形態の変形例の衛生用紙収納用カートンの取出口被覆部の紙クリップを示す平面図である。
【発明を実施するための形態】
【００１２】
以下、本発明の実施形態を、図面を参照して説明する。
図１（ａ）に示す衛生用紙収納用カートン（以下、「カートン」ともいう）１は、複数枚の衛生用紙としてのティシュペーパー（図示せず）を収納するとともに、当該ティシュペーパーの取出口（図示せず）を備える箱本体１０と、箱本体１０の取出口を覆う取出口被覆部１１とを備えている。箱本体１０は直方体状を呈しており、箱本体１０の高さｈ、奥行ｄ、幅ｗが、ｈ＜ｄ＜ｗの関係となっている。箱本体１０の材質、形状は、一般的なカートンの材質、形状として広く知られているものを用いることができる。
なお、箱本体１０は、直方体状以外の箱形であってもよい。また、本発明でいう「衛生用紙」とは、ティシュペーパー（顔ふき紙、化粧紙などと呼ばれるもの）、ちり紙、ペーパータオル(キッチンペーパー等)、トイレットペーパー（ロールを除く）、ワッティング(紙綿)などの使い捨て紙を総称する概念である。
【００１３】
具体的には、箱本体１０の材質として、板紙を用いることができる。この板紙は、木材パルプ又は回収紙を原料として製造することができる。厚さ０．３５〜０．５０ｍｍ、坪量３００〜４５０ｇ／ｍ２のものが好適であるが、厚さ０．３５〜０．４０ｍｍ、坪量３００〜４００ｇ／ｍ２のものがより好ましい。通常、箱本体１０の原紙は表面にニス塗布を行い、デザイン性を高めている。
【００１４】
取出口被覆部１１は、箱本体１０の上面部１０ａに形成されている。取出口被覆部１１は、箱本体１０から切り離し可能である。取出口被覆部１１は、幅ｗ方向に細長い長方形状を呈している。取出口被覆部１１の外周縁にはミシン目１１ａが形成されている。また、取出口被覆部１１の長手方向の両端部には、半円形状の押込部１２が形成されている。押込部１２の外周縁にはミシン目１２ａが形成されている。
【００１５】
押込部１２を指で押すと、ミシン目１２ａに沿って押込部１２が切り離され、指が箱本体１０の内側に入る。この後、取出口被覆部１１を指で把持して引き上げれば取出口被覆部１１がミシン目１１ａに沿って箱本体１０から分離する。取出口被覆部１１を分離すると、箱本体１０の上面にティシュペーパーの取出口が出現する。
【００１６】
また、取出口被覆部１１は、圧縮機等により圧縮（面圧縮）されており、この圧縮により箱本体１０よりも高密度となっている。なお、板紙の密度が高まると、曲げや捩じりの力に対して寸法変化（変形）が生じにくくなるので、取出口被覆部１１は箱本体１０よりも高剛性といえる。取出口被覆部１１は、上記の圧縮により、図１（ｂ）の断面図に示すように、取出口被覆部１１以外の上面部１０ａよりも厚さが薄くなっている。
【００１７】
更に、図１（ｃ）に示すように、取出口被覆部１１の表面には紙クリップ１４の輪郭が表示されている。本実施形態では、Ｅ字型の紙クリップ１４を、図１（ｃ）に示すように４つ併設している。紙クリップ１４は、複数枚の紙を重ねて挟み込んで保持するものであり、平坦に形成されている。
【００１８】
なお、図１（ｃ）では、４つの紙クリップ１４の輪郭を実線で表記したが、紙クリップ１４の輪郭が認識でき、その輪郭に沿って紙クリップ１４を切り離す切取線としても認識可能であれば、破線や一点鎖線等の線であってもよい。更には、隣り合う紙クリップ１４で色を異ならせて切取線を看取させてもよい。また、箱本体１０の任意の面に、取出口被覆部１１から紙クリップ１４を切り抜いて使用し得る旨の説明を、図解を含めて記載しておくのが好ましい。また、本実施形態では、取出口被覆部１１の表面（上面）に紙クリップ１４の輪郭を表示したが、取出口被覆部１１の裏面（下面）に紙クリップ１４の輪郭を表示してもよい。
【００１９】
紙クリップ１４を得るには、まず、ティシュペーパーを取り出せるようにするために、箱本体１０から取出口被覆部１１を切り離す。この後、取出口被覆部１１の表面に表示された紙クリップ１４の輪郭（切取線）に沿って、ハサミやカッター等で取出口被覆部１１を切断することにより、紙クリップ１４を得ることができる。
【００２０】
取出口被覆部１１は、箱本体１０の取出口被覆部１１以外の上面部１０ａよりも圧縮されて高剛性となっている。このため、取出口被覆部１１から切り取って得た紙クリップ１４は、強い復元力を有するので、複数枚の紙を挟むクリップとして十分に機能する。
【００２１】
このような紙クリップ１４を、取出口被覆部１１から得ることができるので、従来は、箱本体１０から切り離した後、廃棄されていた取出口被覆部１１を有効利用することができる。
【００２２】
また、取出口被覆部１１は、上記のように箱本体１０よりも高剛性となっており、箱本体１０との境界線（取出口被覆部１１の外周縁）に沿ってミシン目１１ａが形成されている。このため、取出口被覆部１１を引き上げた際に、箱本体１０から容易に切り離すことができる。
【００２３】
また、取出口被覆部１１が高剛性であると、カートン１の製造時に次のような効果を奏する。カートン１の製造時には、図２に示すように、ティシュペーパーを所定枚数重ね合わせた積層ティシュペーパー２１を箱本体１０に収納する。この際、箱本体１０は、ステップＳ１に示すように折り畳まれて潰れた状態となっている。つまり、図１（ａ）に示した箱本体１０の幅ｗ方向の前後が開口された状態で、幅ｗ方向の平行な４つの角が折り畳まれた平面状態となっている。
【００２４】
この平面状態から、図２のステップＳ２，Ｓ３に示すように、図示せぬ機械で箱本体１０の側壁を立ち上げて、角筒状に形成する。この際、上面の取出口被覆部１１の剛性が高いとカートン１の上面部にねじれや曲げが生じにくくなるので、角筒状に形成し易くなる。
【００２５】
なお、箱本体１０が角筒状となった後は、ステップＳ４，Ｓ５，Ｓ６に示すように、積層ティシュペーパー２１を押し込む機械２２によって、積層ティシュペーパー２１が箱本体１０の中に押し込まれて収容される。この後、ステップＳ７に示すように、前後の開口が閉じられて、積層ティシュペーパー２１を収納したカートン１が完成する。
【００２６】
本実施形態では、隣り合う紙クリップ１４，１４の境界等に切取時の目安となる切取線（紙クリップ１４の輪郭）を印刷した場合を例示したが、図３（ａ）に示すように、切取位置にミシン目を形成してもよい。このようにすると、取出口被覆部１１から紙クリップ１４を切り取る場合、ハサミやカッター等を用いなくても、ミシン目１４ｂに沿って容易に切り取ることができる。なお、ミシン目１４ｂに代え、ハーフカット用の切れ目を入れてもよい。
【００２７】
また、本実施形態では、複数の紙クリップ１４を連設した場合を例示したが、紙クリップ１４の配置は変更してもよい。例えば、図３（ｂ）に示すように、Ｅ字型の紙クリップ１５同士を噛み合わせて配置し、無駄の少ない配置としてもよい。このようにすると、多くの紙クリップ１５を配置できると共に、余白部（不使用部）が少なくなるので、無駄が少なくなる。
【００２８】
なお、各紙クリップ１５の輪郭１５ａは、上述した実線、破線及び一点鎖線等の切取線や、ミシン目、又はハーフカット用の切れ目とする。
【００２９】
更には、図３（ｃ）に示すように、紙クリップ１５よりも小さいＥ字型の紙クリップ１６を、図３（ｂ）と同様にＥ字型の突き出た部分同士を組み合わせ、組み合わせた一対を縦横に極力多く隣接配置した無駄の少ない組合せによる紙クリップ１６を構成してもよい。これによっても、限られた面積の取出口被覆部１１から、より多くの紙クリップ１６を得ることができる。
【００３０】
また、図３（ｄ）及び（ｅ）に示すように、長方形の中がコ字型に刳り抜かれる刳り抜き型の紙クリップ１７を取出口被覆部１１に形成してもよい。更には、図３（ｆ）に示すように、紙クリップ１７と相似形でサイズの小さい紙クリップ１８を、縦横に極力多く隣接配置してもよい。
【００３１】
これらの場合も、各紙クリップ１７，１８の輪郭１７ｂ，１８ａは、実線、破線及び一点鎖線等の切取線や、ミシン目、又はハーフカット用の切れ目とする。これにより、限られた面積の取出口被覆部１１から、より多くの紙クリップ１７，１８を得ることができる。
【００３２】
更には、図１（ｄ）に示したＥ字型の紙クリップ１４の中央の突出部１４ａや、図３（ｅ）に示した紙クリップ１７の突出部１７ａに、予め定められたデザインを記載してもよい。予め定められたデザインとは、例えば、車、電車、飛行機及び建築物等の創作物、スポーツや踊り等の動作及び仕草等をする人間や、ペンギン、キリン等の動物、ひまわり等の植物といった動植物である。或いは、突出部１４ａ，１７ａを、各種のデザインそのものの形状としてもよい。このように紙クリップ１４，１７を装飾することにより、人の気持ちを和ませる等の効果を得ることができる。
【００３３】
この他、図４に示すように、ティシュペーパーの取出口（図示せず）を覆う長手楕円形状の取出口被覆部３１の押込部３２が、取出口被覆部３１の両端部で長手方向を横切るミシン目３２ａに沿って切り離されるタイプのものがある。このタイプの押込部３２は、面積が大きいので、上述した紙クリップとして用いるようにしてもよい。
【００３４】
従って、押込部３２に、図４に示すように紙クリップの輪郭３２ｂを表示して切り取るようにするか、又は、その輪郭３２ｂをミシン目として切り取れるようにする。これによって、押込部３２を紙クリップとして用いることができる。但し、取出口被覆部３１の押込部３２のみを紙クリップとして用いるようにしてもよいし、押込部３２以外の部分も上述同様に紙クリップとして用いるようにしてもよい。
【符号の説明】
【００３５】
１０  ティシュカートン（衛生用紙収納用カートン）
１１，３１  取出口被覆部
１１ａ，１２ａ，１４ｂ，２１ａ，３２ａ  ミシン目
１２，３２  押込部
１４，１５，１６，１７，１８  紙クリップ
１５ａ，１７ｂ，１８ａ，３２ｂ  輪郭
２２  機械
２１  積層ティシュペーパー
【図１】
0006052109.tif 000002
【図２】
0006052109.tif 000003
【図３】
0006052109.tif 000004
【図４】
0006052109.tif 000005